(57)【特許請求の範囲】
【請求項１】
一方の自由端を、吊り下げ位置の固定物又は該固定物に支持されたフックに掛け、或いは固定物に支持された環体に挿通して下方に曲げ返す工程と、
他方の自由端を、吊り下げられる物品又は該物品の掛け部或いは環部に掛け又は挿通して、この自由端を上方に向ける工程と、
上記各工程によって下方に向けた一方の自由端の途中部及び上方に向けた他方の自由端の途中部を、互いに重ね合わせるか、或いは各自由端の途中部を吊り下げ具の途中部に重ね合わせ、各途中部に形成した開孔の位置を合わせて連結部材を挿通する工程と、によって物品を吊り下げる物品の吊り下げ方法に用いる吊り下げ具であって、
屈曲性ないし柔軟性を有し、平型長尺形状を有する高分子材料基材の長手方向に沿った両側内部に金属線よりなる補強材を有し、該高分子材料基材の長尺方向に沿った中心線上に一定間隔毎に開孔が形成された所定の長さ或いは所要の長さに切断されたもので構成されていることを特徴とする物品の吊り下げ具。
【請求項２】
金属線からなる補強材が、屈曲製又は柔軟性に富む単線又は金属細線の束或いはワイヤーであり、この補強材の周囲の平型フレキシブルコードの長手方向に沿った両側端部が、当該両側端部間の板面部よりも太く形成されている請求項１に記載の物品の吊り下げ具。
【請求項３】
請求項１又は２に記載の吊り下げ具が、所定の幅と厚さを有するものを基材とし、この基材の長尺方向に沿った中心線上に一定間隔毎に開孔が形成されたもので構成されている物品の吊り下げ具。
【請求項４】
金属細線からなる複数本の補強材が、高分子材料基材の長手方向の両側端部間に分散して形成されている請求項２又は３に記載の物品の吊り下げ具。
【請求項５】
高分子材料基材内の全体又は一部に補強用繊維材料が含まれている請求項１ないし３のいずれか１項に記載の物品の吊り下げ具。
【発明の詳細な説明】
【０００１】
【発明の属する技術分野】
本発明は、例えば室内照明器具、吊り天井、配管類、ケーブル類、フラワーバスケット、くす玉、垂れ幕、吊り看板、建築工事用帆布、展示用陳列品、各種室内装飾品などの各種物品の吊り下げに用いられ、吊り下げ作業が簡単に行なえるだけでなく、安定した取り付けができるのであり、とくに、吊り下げる側の形状及び大きさ、吊り下げられる物品の種類、大きさ、形状、周辺の環境にもフレキシブルに対応できる、物品の吊り下げ方法に用いられる物品の吊り下げ具に関する。
【０００２】
【従来の技術】
例えば、天井埋め込み型の蛍光燈を取り付ける場合、天井板や天井板を支持している木枠に直接、蛍光燈を支持させると重量負担が大きく、落下の危険性や天井が撓むなどの安全性に問題があり、また、取り付け工事も難しく、見栄えも悪くなる。
【０００３】
このような場合、従来では、天井裏の空間内に型鋼材や金属製パイプなどの固定構造材が有る場合には、この固定構造物に吊り金具の一端側を支持させて、その下端側を蛍光燈に掛止させるなどして蛍光燈を吊り下げていた。
【０００４】
また、天井裏の空間の上方を仕切る面がコンクリート面になっている場合には、コンクリート面にアイボルトや環体を固定して、このアイボルトや環体に吊り金具を掛けて、その下部に蛍光燈を掛り止めさせて吊り下げるようにしていた。また、金属パイプ製の吊り金具の上端部をコンクリート面にネジ止めして、この吊り金具の下端部に蛍光燈をネジ止めして固定するといった取り付け例も多く見られる。
【０００５】
図１７の（ａ）図は、従来技術による吊り金具の使用例を示す図であり、同（ｂ）図は、この吊り金具を示す斜視図であり、図１７の（ａ）図によると、蛍光燈７０の吊り下げ位置の上方に位置する金属パイプ９１に掛止させた吊り金具１００を利用して蛍光燈７０が吊り下げられている。
【０００６】
また、図１７の（ｂ）図に示すように、この吊り金具１００は、本体部を構成している金属製のネジ棒１０１の上部に、フック状のクリップ１０２が挿通され、このクリップ１０２の底板から上方に突出したネジ棒１０１の上端部に、クリップ１０２を支持するナット１０３が螺装されており、このネジ棒１０１の下部には、座金１０４とナット１０５が着脱自在に支持されたもので構成されている。
【０００７】
図１７の各図において、この吊り金具１００の上部を金属パイプ９１に掛止させるには、吊り金具１００上部のクリップ１０２を金属パイプ９１に掛けるだけで良く、吊り金具１００の下部に蛍光燈７０を取り付けるには、先ず、吊り金具１００のネジ棒１０１の下端部からナット１０５と座金１０４を取り外し、ネジ棒１０１の下端部を蛍光燈７０の上部ケース７１の上面に開設されている開孔７２内に上方から突入させて、上部ケース７１の下面側に突出したネジ棒１０１の下端部に座金１０４を嵌入し、続いてナット１０５を螺装して行なわれる。
【０００８】
図１９は、他の種類の吊り金具１１０の上部の取り付け例を示している。
図１９によると、この吊り金具１１０の上部は、ネジ棒１１１の上方に、コ字状の開口１１２ａが形成された箱形のクリップ１１２の下部がジョイント１１３，１１４を介して支持されており、しかも前記クリップ１１２の上板部に、開口１１２ａ内の下方に突入するボルト１１５が螺装されて構成されている。
【０００９】
そして、この吊り金具１１０の上部は、Ｌ型鋼材９１やＨ型鋼材、長板鋼材などに固定して吊り下げるもので、その固定は、Ｌ型鋼材９１の水平板部９１ａに、この吊り金具１１０のクリップ１１２を横から嵌め入れて、その上方からボルト１１５の先端面をＬ型鋼材９１の水平板部分９１ａ上に押し付けて、この先端面と開口１１２ａの下板部とによってこの水平板部９１ａに挟み付けて固定される。
【００１０】
図２０は、天井埋め込み型の蛍光燈７０を吊り下げる方法の一例を示す。
図２０によると、天井板Ｔには天井埋め込み型の蛍光燈７０を嵌め込むための開口Ｔａが蛍光燈７０の上部ケース７１の外側壁に沿った大きさに開設されており、その上方のコンクリート面Ｋに、埋め込み型の環体Ｒの上半分が埋設されて固定されている。この環体ＲはＯ字形状を有するワイヤー部Ｒａの中央部が略段付き円柱形状を有するゴム材Ｒｂ内に埋設されたもので、天井裏の空間に吊り金具の上部を支持する鋼材などが無い場合には、この環体Ｒを利用して吊り金具１２０の上部を支持される。
【００１１】
この図によると、ここで使用される吊り金具１２０はワイャーを利用したもので、このワイヤーを前記環体Ｒと蛍光燈７０上部の環体７４に挿通し、このワイヤーの端末部を当該ワイヤーの途中部に掛け止めさせて、蛍光燈７１を吊り下げている。
【００１２】
この種のワイヤー式吊り下げ具は、従来より各種のものが公知である。
例えば、特開平１１−２０１２３７号公報に記載の「器材吊り下げ方法」に用いられるワイヤー式吊り下げ具、特表２０００−５０５５２５号公報に記載の「ワイヤー等を締付けるための装置」は、いずれも従来より数多く市販されている。
【００１３】
特開平１１−２０１２３７号公報に記載の吊り下げ具は、同公報の記載によると、ワイヤーの一端側がループになっており、このワイヤーの他端側は、金属製のロックディバイス内に挿通されて、このロックディバイスがワイヤーの途中部で係止されており、さらにこのロックディバイスから長く突出してループ状に曲げ返され、再びロックディバイス内に挿通されて、このロックディバイス内の通路に設けられている一対の楔部材でその途中部が係止される構造を有する。
【００１４】
この吊り下げ具の使用は、同公報の添付図面の図３ないし図７に示すように、頭上構築部材に固定した環部材に、ループが形成されていない側のワイヤーの一端を挿通し、この一端をワイヤーの他端側のループ内に通して下方に引き付けることによって吊り下げ具上部の掛止を行なう。そして、下方に長く延びたワイヤーの一端を、器材上部に固定されている環部材に挿通し、さらにこのワイヤーの一端を上方に曲げ返してワイヤーの途中部に係止されているロックディバイス内の通路に挿通して、この挿通したワイヤーをロックディバイス内の楔部材で挟持させて抜け止めを図ることによって、吊り下げ部の下部に形成したループに器材を支持させて行なう。
【００１５】
特表２０００−５０５５２５号公報に記載の「ワイヤー等を締付けるための装置」は、ワイヤーの挿通孔が形成されたロックディバイスに相当する器体内に、ワイヤーを挟持する楔状体が設けられており、この楔状体の締め付けが、ねじの操作で行なわれ、この器体内の挿通孔に１本のワイヤーの途中部を係止させる構造を有する。
【００１６】
【発明が解決しようとする課題】
前述した従来技術による吊り下げ具のうち、図１７の（ｂ）図に示す吊り金具１００は、安定した吊り下げが期待できる反面、例えば、図１８の（ａ）図に示すように、蛍光燈７０の上部に位置する開孔７２，７２の直上方位置Ｖ１，Ｖ１から外れた位置Ｖ，Ｖに、図１７に示す金属パイプ９１などの固定物が位置していると、吊り金具１００は傾斜した向きで吊り下げられるが、このように構成すると、図１８の（ｂ）図に示すように、蛍光燈７０の上部ケース７１の下面と、ネジ棒１０１の下端部分に螺装されているナット１０５との間には、座金１０４が傾斜した片支持状態で挟まれて位置することになり、この結果、上部ケース７１の開孔７２周りに亀裂が生じ易くなり、また、ナット１０５に緩みが生じ易くなる。この結果、長期間の経過により蛍光燈が下方に傾いたり、落下する最悪の事態を惹起しかねない。
【００１７】
図１９に示す吊り金具１１０は、その上部構造が振れ方向の傾きに対応できるジョイント１１３が連結されているために、ネジ棒１１１の傾斜には対応できるが、その上部が前述した取り付け状態であると、前述した課題が残る。
【００１８】
しかも、前述した２つの従来技術の吊り金具は、販売店側によれば、ネジ軸の長さの違うものを何本も揃えるといった在庫面での問題があり、吊り下げ工事を行う作業者にとっても、吊り下げる長さによってネジ棒１０１の長さの違うものを多種揃えるといった面倒さがある。
【００１９】
また、複数本の配管や信号線を束ねて吊り下げるときには、これらをまとめて吊り下げるのが困難であり、専用の保持金具を用いても対応できないことがあった。
【００２０】
そして、何よりも重要なことは、前述した２つの従来技術の吊り下げ具及び装置は、製造コストが高く、これが購入価格、強いては吊り下げなどの工事価格にも影響していた。
【００２１】
この点、前記特開平１１−２０１２３７号公報に記載の吊り下げ具、及び、特表２０００−５０５５２５号公報に記載の「ワイヤー等を締付けるための装置」は、いずれも、ワイヤーを用いた吊り下げ方式であるため、前述したような吊り下げ位置の若干の違いには、十分に対応できる。
【００２２】
しかしながら、これら２種の吊り下げ具及び装置は、構造が複雑であり、購入価格が高く、しかもワイヤーの係止及びその解除が難しく、さらには、挟持状態の調整不足が起こり易く、ワイヤーが滑り易いという課題もあった。
【００２３】
本発明者は、前述した従来技術の吊り下げ具には、前述した重要な課題、とくに、製造コスト、購入価格、吊り下げの環境に応じたフレキシブルな対応、数多くの種類のものを用意しておく必要があるなどの課題があることを知り、今回、このような課題を解決した新規な吊り下げ具の開発に着手した。そして、その後における鋭意、検討の結果、ついに前述した課題を解消する吊り下げ具を完成するに至ったものである。
【００２４】
このような経緯を経て完成するに至った本発明の目的は、例えば、室内照明器具、吊り天井、配管類、ケーブル類、フラワーバスケット、くす玉、垂れ幕、吊り看板、建築工事用帆布、展示用陳列品、各種室内装飾品などの各種物品の吊り下げにおいて、吊り下げ作業が簡単に行なえ、しかも安定した取り付けができるうえ、とくに、吊り下げる側の形状及び大きさ、吊り下げられる物品の種類、大きさ、形状、周辺の環境にもフレキシブルに対応できる、物品の吊り下げ方法に好適な、物品の吊り下げ具を提供することにある。
【００２５】
また、吊り下げ荷重に対して極めて丈夫であり、しかも、吊り下げる周囲の環境に対してフレキシブルに対応できるうえ、吊り下げ時において重ね合わせて固定した部分どうしの滑りなどがなく、長期間の使用にも耐える物品の吊り下げ具を提供することを目的とする。
【００２７】
【課題を解決するための手段】
以上の各課題を解決するための手段である物品の吊り下げ具は、例えば以下のような物品の吊り下げ方法に使用されることを想定したものであり、まず、その主な３通りの吊り下げ方法を説明する。第１の例に係る物品の吊り下げ方法（以下、本発明第１方法という。）は、平型フレキシブルコード又は平型フレキシブル長尺体の長尺方向に一定間隔毎に開孔が形成された所定の長さ或いは所要の長さを有する吊り下げ具を用い、この吊り下げ具の一方の自由端を、吊り下げ位置の固定物又は該固定物に支持されたフックに掛け、或いは固定物に支持された環体に挿通して下方に向け、この下方に向けた当該自由端の途中部を、該途中部と対向するこの吊り下げ具の途中部に重ね合わせて、双方の途中部に位置する開孔の位置合わせを行ない、この位置合わせにより連通する開孔に連結部材を挿通して双方の途中部どうしを固定して吊り下げ具の一端側を前記固定物等に支持させる第１の工程と、この吊り下げ具の他方の自由端を、吊り下げられる物品又はその掛部ないし環部に掛け又は挿通して上方に向け、この上方に向けた自由端の途中部を、該途中部と対向するこの吊り下げ具の途中部に重ね合わせて、双方の途中部の開孔を選択してその位置合わせを行ない、この位置合わせにより連通する開孔に連結部材を挿通して双方の途中部どうしを固定して吊り下げ具の他端側を吊り下げられる物品に接続する第２の工程とを有するものである。
【００２８】
そして、本発明第１方法においては、例えば前記第１の工程を行なった後に前記物品を持ち上げた状態で吊り下げ具全体を緊張させながら前記第２の工程を行なったり、或いは、前記第２の工程を行なった後に前記物品を持ち上げた状態で吊り下げ具全体を緊張させながら前記第１の工程を行なって、物品を所要の位置に吊り下げることができる。
【００２９】
本発明第１方法及び後述する本発明第２・３方法において、共通して言えることは、屈曲などの形状変化にフレキジブルに対応できる強靭な平型フレキシブルコード又は平型フレキシブル長尺体の長手方向に沿った一定間隔毎に開孔が形成された吊り下げ具が用いられている点にある。
尚、本発明においては、本発明第１から３の方法を総称して本発明方法という。
【００３０】
本発明方法において、用いられる吊り下げ具の長さは、例えば、天井埋め込み型の蛍光燈を吊り下げる場合でいうと、吊り下げる長さ、天井裏の空間の広さ、蛍光燈の種類、吊り下げ具の上部を掛ける支持体や環体、鋼材などの固定物の形状、その高さなど、吊り下げるための環境などの諸条件によって異なり、１つの長さに限定されるものではない。
【００３１】
このため、本発明方法においては、吊り下げの長さに応じて所定の複数種の長さに切断されたものを用いたり、つまり所定長さに切断された規格品サイズのものを用いたり、長尺形状のものを、現場に応じて、所要の長さに切断して用いても良いのである。
【００３２】
本発明の吊り下げ具を用いて物品を吊り下げるには、物品の吊り下げ位置に、当該吊り下げ具の自由端を、掛止したり或いは支持させる固定物などがあれば足り、物品の吊り下げ位置と当該物品の掛け具や環体などとの間に若干のズレがあっても、本発明の吊り下げ具はフレキシブルに対応できるので、物品を吊り下げた場合、物品の吊り下げ箇所に負担が掛からないのであり、その結果、長期間使用しても、蛍光燈が下方に傾くことがなく、又、物品の落下などの事故に起因する危険性が無くなるのである。
【００３３】
本発明第１方法においては、１本の吊り下げ具の両自由端を折り返して、この折り返した双方の自由端の途中部と対向する吊り下げ具の途中部とを固定することによって、両端にループを形成し、このループの一方である上方のループを利用して吊り下げ具を掛け、他方である下方のループに吊り下げようとする物品を掛け、しかもそれぞれのループを形成する過程で、吊り下げ具を掛ける固定物や固定物に支持させたフック或いは環体に掛け又は通し、また、吊り下げようとする物品やその掛け具や環体に掛け又は通すという方法が採用される。
【００３４】
この方法においては、吊り下げ具を掛ける第１の工程と、物品を掛ける第２の工程を同時に行なうことはできないので、前述したように、いずれか一方の工程を先に行なった後、続いて他方の工程を行なうという手順を選択する必要がある。つまり、先に吊り下げ具を吊るして、その後で物品を吊るすという手順と、先に物品に吊り下げ具を掛けておき、その後で吊り下げ具を吊るすという手順のうちのいずれかを選択する必要がある。この場合、いずれの手順を選択するかについては、いずれであっても良いが、吊り下げる場所の周辺の環境や吊り下げようとする物品の大きさ、形状、重さ、吊り下げる高さ、作業性などを考慮して、作業者が判断すればよい。
【００３５】
本発明第１方法の中で行われる第１の工程は、吊り下げ具を固定物又は固定物に支持されたフック又は環体に吊り下げる工程である。
この工程では、先ず、吊り下げ具の一方の自由端を、固定物又は該固定物に支持されたフックに掛けて下方に向けたり、或いは固定物に支持された環体に挿通して下方に向ける。このときに、この自由端によって一方（上方）のループが形成され、このループによって吊り下げ具が掛けられた状態になる。吊り下げ具の一方の自由端を太い配管のような固定物に掛ける場合には、このループで配管を巻くような状態になる。
【００３６】
続いて、この下方に向けた自由端の途中部を、前述した折り返しによって対向するこの吊り下げ具の途中部に重ね合わせる。このときには、吊り下げ具の吊り下げ姿勢とその位置を安定させ、フックから吊り下げ具の抜け外れを防ぐために、出来るだけループが必要以上に大きくなり過ぎないように自由端の長さ調整を行なって重ね合わせることが望ましい。
【００３７】
次いで、この重ね合わせた双方の途中部に形成されている開孔の位置合わせを行なって、双方の開孔が連通する状態にする。この位置合わせは、重ね合わせた双方或いは一方の途中部を上下に移動させて行なう。なお、双方の途中部の重ね合わせと位置合わせを同時に行なっても良い。
【００３８】
そして、この位置合わせによって連通した２つの開孔の一方側から他方に向けて、連結部材を挿通し、この連結部材によって重ね合わせた双方の途中部どうしを固定する。この場合、この連結部材としては、連通する開孔内に挿通して双方の途中部どうしを固定することができるものであれば特に限定されるものではない。
以上が、吊り下げ具を固定物側に吊り下げるために行われる、第１の工程である。
【００３９】
又、第２の工程は、第１の工程と同様に、他方の自由端でループを形成する過程であり、他方の自由端を、物品又はその掛部に掛け又は物品の環部に挿通して上方に向けた後、上方に向けた自由端の途中部を、折り返しによって対向する当該吊り下げ具の途中部に重ね合わせ、この重ね合わせた双方の途中部に形成されている開孔の位置合わせ行ない、次いで、位置合わせによって連通する開孔に連結部材を挿通して、双方の途中部どうしを固定する方法が採られる。
【００４０】
以上、説明した方法が、吊り下げ具の両端にループを形成して行なう、本発明第１方法である。
【００４１】
次に、第２の例に係る物品の吊り下げ方法（以下、本発明第２方法という。）について説明する。本発明第２方法は、本発明第１方法に記載の吊り下げ具を用い、この吊り下げ具の一方の自由端を、吊り下げ位置の固定物又は該固定物に支持されたフックに掛け、或いは固定物に支持された環体に挿通して、この自由端を下方に向ける第１の工程と、この吊り下げ具の他方の自由端を、吊り下げられる物品又は該物品の掛け部或いは環部に掛け又は挿通して、この自由端を上方に向ける第２の工程と、吊り下げ具全体を緊張させながら、対向する双方の自由端の途中部を重ね合わせて、双方の途中部の開孔を選択してその位置合わせを行ない、この位置合わせにより連通する開孔に連結部材を挿通して双方の途中部どうしを固定して、吊り下げ具全体を略０状に形成して物品を吊り下げる第３の工程とを有するものである。
【００４２】
本発明第２方法では、例えば前記第１の工程を行なった後に前記第２の工程を行ない、更にその後に前記第３の工程を行なうことにより、或いは、前記第２の工程を行なった後に前記第１の工程を行ない、更にその後に前記第３の工程を行なうことにより、物品を所要の位置に吊り下げることができる。
【００４３】
本発明第２方法においては、本発明方法に記載の吊り下げ具を用いて、吊り下げ具を略０形状に形成して物品を吊り下げる方法である。
【００４４】
本発明第２方法において、第１の工程と第２の工程のいずれを先に行なうのが良いかは、現場の状況や作業性を考慮して、作業者が適宜、判断すれば良いのである。
【００４５】
本発明第２方法において最も重要な特徴は、吊り下げ具を略０形状に形成するように、双方の自由端の途中部どうしを連結、固定する点にある。
双方の自由端の途中部どうしの連結、固定は、第１の工程と第２の工程とを行なった後に、物品を吊り下げ位置まで持ち上げた状態で、吊り下げ具全体が緊張するように双方の自由端の途中部の位置調整を行なって、双方の自由端の途中部どうしを重ね合わせて当該双方の途中部に形成されている開孔の位置合わせを行い、双方の開孔が連通する状態にする。この位置合わせは、重ね合わせた双方或いは一方の途中部を上下に移動させて行なわれる。
なお、この場合、双方の途中部の重ね合わせと位置合わせを同時に行なっても良いのである。
【００４６】
次いで、前記位置合わせによって連通した２つの開孔の一方側から他方に向けて、連結部材を挿通し、この連結部材によって重ね合わせた双方の途中部どうしを連結、固定する。つまり、この連結、固定は、請求項１に記載の物品の吊り下げ方法と同じ要領で行われる。この連結部材としては、この請求項２に記載の場合でも、開孔内に挿通して双方の途中部どうしを固定することができるものであれば特に限定されるものではない。
【００４７】
本発明第２方法においては、両自由端の途中部の固定が簡単にしかも迅速にでき、とくに、物品を抱き込まない状態で掛けることができる便利なところがある。例えば、物干し竿や傘骨のように開く洗濯物干し具（パラソルハンガー）等を納屋の天井近くに吊り下げて使用するなどの使い方を挙げることができる。
【００４８】
次に、第３の例に係る物品の吊り下げ方法（以下、本発明第３方法という。）について説明する。本発明第３方法は、本発明第１方法に記載の吊り下げ具を用い、この吊り下げ具の一方の自由端を、吊り下げ位置の固定物又は該固定物に支持されたフックに掛け、或いは固定物に支持された環体に挿通して下方に曲げ返す第１の工程と、この吊り下げ具の他方の自由端を、吊り下げられる物品又はその掛け部ないし環部に掛け又は挿通して、この自由端を長く伸ばした状態でその途中部を、対向する位置にあるこの吊り下げ具の途中部に重ね合わせて、双方の途中部の開孔を選択してその位置合わせを行ない、この位置合わせにより連通する開孔に連結部材を挿通して双方の途中部どうしを固定して、吊り下げ具の他端側を物品に接続する第２の工程と、前記第１の工程を経た自由端の途中部と、前記第２の工程を経た自由端の途中部と、これらの途中部に対向する位置にある吊り下げ具の途中部とを、吊り下げ具全体を緊張させつつ、前記第２の工程を経た自由端の長さ調整を行ないながら重ね合わせて、各々の途中部の開孔を選択してその位置合わせを行ない、この位置合わせにより３連通する開孔に連結部材を挿通して、当該個所を固定する第３の工程とを有するものである。
【００４９】
本発明第３方法では、例えば前記第１の工程を行なった後に前記第２の工程を行ない、更にその後に前記第３の工程を行なうことにより、或いは、前記第２の工程の工程を行なった後に前記第１の工程を行ない、更にその後に前記第３の工程を行なうことにより、物品を所要の位置に吊り下げることができる。
【００５０】
本発明第３方法は、本発明第１方法と同様に、両自由端を折り曲げて、吊り下げ具の両端にループを形成し、その過程で一方の自由端を固定物又は該固定物に支持されたフックに掛け、或いは固定物に支持された環体に挿通して下方に向け、他方の自由端を吊り下げられる物品又はその掛け部ないし環部に掛け又は挿通するものである。
【００５１】
そして、本発明第３方法では、折り返した双方の自由端のうちのいずれか一方の自由端の途中部と、対向するこの吊り下げ具の途中部とを、吊り下げられる物品に巻き回して重ね合わせた後、本発明第１方法に記載した場合と同様に、双方の途中部どうしを連結部材を用いて固定し、このとき、このいずれか一方の自由端の先端部を他方に形成されるループにまで届くように長く残しておく。このため、この吊り下げ具としては、本発明第１方法に記載の吊り下げ具よりも長い吊り下げ具を用いることが必要になる。
【００５２】
次いで、この折り返した他方の自由端の途中部と、対向するこの吊り下げ具の途中部とを位置合わせをして重ね合わせるのであるが、このとき、前述した一方の自由端の途中部も一緒に重ねる。このため、この位置合わせにより３つの開孔が連通するように重ね合わせる。この重ね合わせに際しては、上下のループ間の吊り下げ具部分と長くした自由端とが重なるようにこの自由端の重ねる長さを調節する。
【００５３】
そして、最後に、この３連通する開孔に連結部材を挿通して当該個所を連結、固定する。これによって、物品を確実に吊り下げることができるのである。
【００５４】
本発明第３方法では、上下のループ間の吊り下げ具部分を二重にすることができるので、吊り下げ具の引っ張り強度を増大させることができるという利点がある。
【００５５】
次に、本発明方法に用いられる吊り下げ具について説明する。
この吊り下げ具は、高分子材料を基材としており、その内部に補強材を有する、平型長尺形状を有するフレキシブルコード又はフレキシブル長尺体で構成され、その面に一定間隔毎に開孔が形成されたもので構成される。
【００５６】
このような平型長尺形状に形成されていると、引っ張り強度が強く、吊り下げたときの横揺れが殆ど生じない。しかも、開孔を形成し易く、開孔を形成した後も十分な引っ張り強度を保つことができる上、前述した対向する途中部どうしの重ね合わせができるので、開孔の位置合わせ、連結部材の挿入、連結部材による途中部どうしの固定が容易に、しかも確実に行なえる。
特に、吊り下げる物品に吊り下げ具の面を沿わせて抱く形で吊り下げることができるので、吊り下げ姿勢が安定し、物品を確実に保持させることができるのである。
【００５７】
高分子材料としては、必ずしも限定されるものではないが、好適なものとして、例えば、ポリエチレン、ポリプロピレン、ポリスチレン、ポリアミド、ポリエチレンテレフタレート（ＰＥＴ）等のポリエステル又はポリ塩化ビニル樹脂等の汎用プラスチック、或いはポリアセタール、ポリフェニレンオキサイド、ポリサルホン又はポリフェニレンサルファイド等のエンジニアリングプラスチック、並びに天然ゴムや合成ゴム等が挙げられる。
【００５８】
フレキシブルコード又はフレキシブル長尺体としては、高分子材料基材の内部に、金属線の補強材、多数本の金属細線を縒ったワイヤータイプの補強材のいずれかを固定させた一体成形品等が挙げられるのであり、このフレキシブル長尺体は、例えば複数の高分子材料基材層内に、金属線、多数本の金属細線を編んだ網状体、ガラス繊維又は合成繊維やこれらで形成された網状体などを介在させて形成された長尺状の積層体、高分子材料に各種繊維を分散させた繊維強化高分子材料で形成された長尺状の積層体等が挙げられる。
【００５９】
このフレキシブルコード又はフレキシブル長尺体としては、所望により、例えば平型長尺面に、多少の凹凸、例えば、エンボス加工されたもの、長尺方向及び／又は短尺方向（幅方向）に多数の溝や凸条が形成されたもの、短尺方向の両端縁からその間の中央に向けて、若干膨らませた形状もの、逆に中央から短尺方向両側に向かって徐々に膨らませた形状のものなどが挙げられる。
【００６０】
前記開孔の大きさは、吊り下げ具の幅、吊り下げ具の引っ張り強度、吊り下げ具の材質けなどの他、連結部材の種類などによって影響されるため、必ずしも限定されるものではないが、好適な１例として、直径２〜５ｍｍ程度の大きさのものを挙げることができる。
【００６１】
前記各開孔は、吊り下げ具の長尺方向に一定間隔毎に形成されており、ここにいう一定間隔については、吊り下げ具の長さや用途、吊り下げる物品の種類などによって対応させられるので、必ずしも限定されるものではないが、具体的には、例えば１〜５ｃｍ間隔のものを挙げることができる。
【００６２】
以上、本発明方法において、前述した吊り下げ具を用いると、吊り下げ具の上部を支持する側の形状や大きさに合わせて、また、吊り下げる物品の形状やその掛部更に環体の形状や大き、また、吊り下げる長さなどに対応させて、その長さや上下に形成されるループの大きさなどを自由に設定できる。よって、最適な吊り下げ状態に形成することができる。
【００６３】
本発明方法においては、連結部材を用いて行なう各固定を、重ね合わせた途中部において連通する複数の開孔にて行なう物品の吊り下げが望ましい。
【００６４】
即ち、本発明方法において、吊り下げ具の重ね合わせた途中部どうしの固定をそれぞれ１つの連結部材を用いて行なうと、この連結部材が抜け外れたり、連結部材を挿通している開孔に物品による荷重負担が掛かって開孔が広がったりする虞れがある。特にループが大きくなると重ね合わせた途中部どうしが離れ易くなり、特に物品が重量物であると、その傾向は強くなり、物品が傾いた状態で吊り下げられるという事態も発生する虞れがある。
【００６５】
このような事態を防ぐため、本発明方法では、吊り下げ具の重ね合わせた各途中部どうしの固定を複数の連結部材を用いて連結、固定するのが望ましい。具体的には、複数の連通する開孔に連結部材を挿通して固定した後、この連通する開孔の隣側で連通している別の開孔内に連結部材を挿通して固定する。この場合、この連通する開孔内に連結部材を挿通して固定するにあたり、１つ飛ばしに連通する開孔に連結部材を挿通して連結、固定しても良いのである。
【００６６】
更に、本発明方法に好適に用いられる各種連結部材の種類に対応した物品の吊り下げ方法を順に説明する。
本発明方法において、連結部材が両端に頭部が形成されたリベットであり、本発明方法で用いられる吊り下げ具を用い、この吊り下げ具を重ね合わせた途中部において連通する開孔に、前記リベットの一方から頭部を圧入して、その頭部を反対側に突出させることにより行なう物品の吊り下げるものである。
【００６７】
ここで用いられるリベットとしては、使用前の状態において既に、軸部の両端に頭部が形成されたものを用い、このうちの一方の頭部を、連通する開孔内に圧入して、開孔の向こう側に突出させて装着するものである。
【００６８】
このように構成すると、工具なしでも指先の操作だけで簡単に装着できる。この結果、少なくとも突入させる側の頭部は、圧入し易い斜面、例えば、ナベ形に形成されているものが用いられる。
このようにしてリベット止めすると、連通する開孔の両側の露見している面に、リベットの両端の頭部の対向面を接面させて固定することができるので、リベットの抜け外れは生じないのである。ところで、リベットの頭部を圧入したとき、開孔は広がるが、この開孔は高分子樹脂材料がもつ柔軟性で直ちに元の大きさに復元する。
加えて、リベットは、最も廉価な連結部材であり、しかも丈夫であるので望ましい。
【００６９】
本発明方法においては、連結部材がタッピングネジであり、前述した吊り下げ方法における吊り下げ具の途中部どうしの重ね合わせにより行なう各固定を、重ね合わせた途中部において連通する開孔に、タッピングネジを螺入して、その先端を反対方向に突出させることにより物品を吊り下げるものである。
【００７０】
タッピングネジもリベットと同様に、廉価な連結部材であり、その装着も簡単にできる。タッピングネジの装着は、通常はドライバを必要とするが、頭部の大きいタッピングネジを用いると、指先の操作でも螺入できる上、連通する双方の開孔に食い込むようにして螺入するので、抜け外れが無く、確実な連結、固定ができるのである。
【００７１】
本発明方法においては、連結部材がカムロックファスナー又はクリップピンであり、前述した吊り下げ方法における吊り下げ具の途中部どうしの重ね合わせにより行なう各固定を、重ね合わせた途中部において連通する開孔に、カムロックファスナー又はクリップピンの先端部を突入させて、当該開孔の反対側に突出した先端部を、止め輪又はクリップで固定して物品を吊り下げるものである。
【００７２】
前記カムロックファスナーは、頭付きピンの先端からその手前の近傍部分までが大径に形成されており、この大径の面に形成されている凹部内に、外方向に進退自在にバネで付勢されたカムを支持させたものであり、カムロックフアスナーは、このような構造を有するピンと、このピンの頭部を対向側から受ける開孔が形成されたクリップとで一対に形成されている。
このカムロックファスアーの先端部を連通する開孔内に強く押し込んで、開孔の反対側からクリップで係止させると、簡単な操作で重ね合わせた途中部どうしの連結、固定ができるのである。
【００７３】
クリップピンは、頭付きピンにおける軸部の途中面にクリップの開孔縁に係止する突起を有するもので、クリップは言わば座金である。なお、クリップピンだけで連結、固定する方法もここに挙げられる。
このように構成すると、カムロックファスナーと同様の使い方で、簡単に固定できる上、廉価な連結部材となる。
【００７４】
本発明方法においては、連結部材がポッピングリベットであり、前述した吊り下げ方法における吊り下げ具の途中部どうしの重ね合わせにより行なう各固定を、重ね合わせた途中部において連通する開孔に、ポッピングリベットの先端部を突入させた後、当該リベットの頭部を押えつつ、開孔の反対側に突出したこの先端部を、手前方向に強く引いて座屈させて物品を吊り下げるものである。
【００７５】
ポッピングリベットは、リベットの軸芯方向に沿って開口が形成されており、しかも、軸部における途中部の外周面が縦方向に数箇所割られており、この開口内に軸部の先端側から頭部に突出する状態で釘状の引き軸を有するものであり、この引き軸を手前方向に強く引くと、軸部の中央部が外に広がって新たな頭部ができるように座屈し、更にこの引き軸を強く引っ張ることによって、この引き軸が破断し、破断した引き軸が抜け落ちる構造を有するものである。
【００７６】
このポッピングリベットの軸部を連通する開孔に挿通して前述した作業を行なうと、リベットの頭部と座屈して新たにできた頭部とによって、確実に開孔周りの面を挟み付けて固定することができるだけでなく、その作業は瞬時に行なえる上、廉価な連結部材となる。
【００７７】
本発明方法においては、連結部材が頭付きネジであり、前述した吊り下げ方法における吊り下げ具の途中部どうしの重ね合わせにより行なう各固定を、重ね合わせた途中部において連通する開孔に、頭付きネジのネジ部を突入し、開孔の反対側に突出したこのネジ部の先端部近傍部分に、ナット又は蝶ナットを螺装して物品を吊り下げるものである。
【００７８】
このねじとナットを利用して連結する方法は、前述した各方法による固定のうちでも、最も確実な連結手段であり、しかも一層確実に固定ができる。特に、蝶ボルトや蝶ナット或いは双方を用いると、工具が不要で、指先の操作で簡単に固定できるだけでなく、取り外しも至極簡単に行なえるのである。
【００７９】
本発明方法において、連結部材による固定を、吊り下げ具の各自由端近傍に位置する開孔に固定された雄雌一対で構成される止め具の一方を、吊り下げ具の各自由端間に位置する各開孔に固定された前記止め具の他方を選択して、この選択した他方に止着することにより物品を吊り下げるものである。
【００８０】
この物品の吊り下げ方法は、前述した各吊り下げ方法に用いられる吊り下げ具と異なる構造の吊り下げ具を用いるものである。
具体的には、前述した各吊り下げ方法に用いられる吊り下げ具は、長手方向に一定間隔毎に開孔が形成されたものを用いていたが、この方法では、前記開孔が形成されている箇所に、それぞれ一対の止め具のいずれか片側を固定し、しかも、両自由端近傍箇所には、一対の止め具のもう一方の片側を、それぞれ１ないし複数連結、固定したものが用いられる。
【００８１】
このような構造を有する吊り下げ具のそれぞれ重ね合わせた途中部どうしの固定は、この止め具によって行われる。この固定は、連結部材を、連通する開孔に挿通させて固定するといった作業を不要とし、単に止め具どうしを押し当てるだけで簡単に連結、固定できる。
【００８２】
この止め具は、好適なものとして、例えば、ホック、特に凸部と凹部が大径のホックを挙げことができる。ホックの止める方向は、吊り下げにより加わる力と直交する横向きであるため、物品の吊り下げによる荷重によって不用意にホックが外れるようなことは起こり得ないのである。
【００８３】
以上が、本発明において、好適に用いられる連結部材の種類に対応した物品の吊り下げ方法である。
【００８４】
ところで、前述した本発明の物品の吊り下げ方法では、吊り下げ具の双方の自由端をいずれの方向に折り返すか特定していない。
【００８５】
このため、本発明方法においては、吊り下げ具の各自由端を固定させる方向を、吊り下げ具全体が略Ｓ字形状になるように、各自由端を互いに反対側に向けて行なうことが望ましい。
【００８６】
このようにＳ字形状になる方向に両自由端を折り返す方法を採用すると、ループを形成している吊り下げ具の途中部どうしを重ね合わせて連結、固定している部分に加わって、引き離れる方向の力が弱くなるため、強い引っ張り力（荷重）に耐え得る。また、作業現場に合わせて自由端を好みの方向に折り返してループを形成することもできる。
【００８７】
ところで、本発明方法においては、吊り下げる物品の好適とされるものを具体的に開示することが望ましく、この各物品の吊り下げ方法において吊り下げられる物品が、蛍光燈、電灯、シャンデリアなどの吊り下げ式室内照明器具、吊り天井、配管類、ケーブル類、吊り下げ式のフラワーバスケット、くす玉、垂れ幕、吊り下げ式看板、建築工事用帆布、展示用陳列品、各種室内装飾品のいずれか又は複数が挙げられる。
【００８８】
そして、本発明の吊り下げ具は、上述したような本発明方法に好適に用いられる吊り下げ具であって、この平型フレキシブルコード又は平型フレキシブル長尺体は、屈曲性ないし柔軟性を有し、平型長尺形状を有する高分子材料基材の長手方向に沿った両側内部に金属線よりなる補強材を有し、該高分子材料基材の長尺方向に沿った中心線上に一定間隔毎に開孔が形成された所定の長さ或いは所要の長さに切断されたもので構成されていることを特徴とする。
【００８９】
この金属線からなる補強材が、屈曲製又は柔軟性に富む金属単線又は金属細線の束或いはワイヤーであり、この補強材の周囲の平型フレキシブルコードの長手方向に沿った両側端部が、当該両側端部間の板面部よりも太く形成されているものが挙げられる。この金属線としては、屈曲製又は柔軟性に富むものであれば特に限定されるものではないが、鋼線、鉄線、ニッケル線、クロム線、アルミニウム線、銅線等、或いはこれらの複数の金属からなるステンレス線や１３クロム線等が挙げられる。
【００９０】
このように、高分子材料基材の長手方向に沿った両側端部内に、柔軟性又は屈曲製に富む金属単線、又は金属細線の束、或いはワイヤーなどのいずれかの補強材を有すると、物品の吊り下げによる引っ張り力にも十分に対応できる。しかも、この補強材の周りの高分子材料基材が太くなっているために、この吊り下げ具を上方の固定物に掛けて物品を吊るしたときに、この両側の太くなっている部分に荷重が加わって、この荷重を前記補強材で受けることができる。このため、吊り下げ具の破損が防止される。またこの両側の太くなっている部分があることによって、前記補強材を外部に露出させることなく保持できるのである。
【００９１】
そして、本発明の吊り下げ具としては、所定の幅と厚さを有するものを基材とし、この基材の長尺方向に沿った中心線上に一定間隔毎に開孔が形成されたものが望ましい。この吊り下げ具は、その基材として、折り返しに対する屈曲性ないし柔軟性を有する長尺平型形状の高分子材料基材が該当する。
【００９２】
ここに記載の「屈曲性ないし柔軟性」とは、吊り下げ具がフレキシブルに対応できて、その両端にループが形成できるように曲がって吊り下げ具の掛止や挿通による支持が安定して行なえるのであり、連結部材を開孔に圧入でき、しかも、開孔から連結部材が不用意に脱落しない、といった条件を満たし、吊り下げ具全体としての柔らかさと基材自体に要求される必要な強度を備えることを言う。
【００９３】
前記高分子材料基材は、前述した屈曲性ないし柔軟性を備え、耐水性、耐湿性、適度の柔軟性、耐電性、耐候性に富み、特に、金属線からなる補強材の防錆作用を発現するのであり、この具体的な高分子材料としては、前述のものが挙げられる。
【００９４】
本発明の吊り下げ具においては、金属細線からなる複数本の補強材が，高分子材料基材の長手方向の両側端部間に分散して当該長手方向に沿って存在してなるものが望ましい。このように構成すると、吊り下げ具には略平均した引っ張り応力が確保されるだけでなく強度が著しく向上し、その結果、重荷重の物品の吊り下げにも充分に対応できるのである。
【００９５】
本発明の吊り下げ具においては、高分子材料基材内の全体又は一部に補強用繊維材料が含まれているものも強度が著しく向上し、その結果、重荷重の物品の吊り下げにも充分に対応できるので望ましい。
【００９６】
この補強用繊維材料としては、吊り下げ荷重に充分に対応できる繊維材料であり、具体的には、例えば、カーボン繊維、ガラス繊維、その他の高分子化合物を素材とする化学繊維などを挙げることができるのであり、この高分子材料基材の素材としては繊維強化高分子材料や繊維強化合成樹脂（ＦＲＰ）を挙げることができる。
【００９９】
本発明方法に用いられる吊り下げ具としては、前述の吊り下げ具であって、長手方向に沿った中心線上に形成されている各開孔のうち、両自由端近傍の各１又は複数の開孔には雄雌一対で構成される止め具の一方が固定され、他の開孔には該止め具の他方が固定されているものが望ましい。
【０１００】
本発明方法で好適に用いられる吊り下げ具としてその長手方向に一定間隔毎に開孔を有するものが挙げられるが、このように開孔を設けて、ここに前以って止め具を固定したものを用いても、前述した吊り下げ方法と同じように物品を吊り下げることができる上、物品の吊り下げ作業が一層容易にできるので望ましい。
【０１０１】
更に、本発明に係る物品の吊り下げ具は、前述した各種の連結部材とセットにしておくことができる。
【０１０２】
即ち、本発明に係る物品の吊り下げ具にセットされる連結部材としては、吊り下げ具を重ね合わせた途中部において連通する開孔に、先端から突入して当該開孔の反対側に先端部を突出、固定する連結部材とからなるものである。
【０１０３】
そして、上記のようなセットにおける連結部材については、リベット、タッピングネジ、カムロックと止め輪、クリップピンとクリップ、ポッピングリベット、ネジとナット、蝶ネジとナット、蝶ネジと蝶ナット、頭付きネジとナット又は蝶ナットから選ばれた少なくとも１種が挙げられる。
【０１０４】
このように、吊り下げ具と必要な数の連結部材がセットになっていると、販売、購入、保管及び使用時の取り扱いが便利になり、実用性が至極向上するのである。
【０１０５】
【発明の実施の形態】
以下、本発明の各実施の形態を添付図面に基づき詳述する。
図１の（ａ）図は本発明の１実施の形態による吊り下げ具を使用前の状態で示す正面図であり、同（ｂ）図は図１の（ａ）図におけるＡ−Ａ断面図である。また、図２はこの吊り下げ具の一端を拡大して示した部分斜視図であり、図３の（ａ）図は図１の（ａ）図におけるＢ−Ｂ拡大断面図、図３の（ｂ）図は同じくＣ−Ｃ拡大断面図である。
【０１０６】
これら各図に示す本発明の１実施の形態による吊り下げ方法（以下、本発明第１実施形態の吊り下げ方法と略称する）を説明する。
本発明の１実施の形態に係る吊り下げ具１は、屈曲性ないし柔軟性を有する長尺平型形状の高分子材料基材２の長手方向に沿った両側端部２ｂ，２ｂが太く形成されており、この両側端部２ｂ，２ｂの内部に、鋼線の束からなる補強材４，４を有し、この高分子材料基材２の長手方向に沿った両側端部２ｂ，２ｂ間に位置する板面部２ａの長尺方向に沿った中心線上に、一定間隔毎に開孔３，３・・が形成されている。
【０１０７】
この吊り下げ具１を具体的に説明すると、この吊り下げ具１の横幅は１２ｍｍであり、前記両側端部の肉厚は２．５ｍｍ、両側端部間の板面部２ａの肉厚は１．５ｍｍであり、両端の銅細線を束にした金属線（ワイヤー）は１ｍｍ径を有する。
そして、この吊り下げ具１の長手方向に沿った中心線上に、４ｍｍ径の開孔を２０ｍｍ間隔で開設したものである。
【０１０８】
勿論、これらの寸法は１例であり、本発明において特定されるものではない。とくに、この吊り下げ具１の長さについては様々であり、また、吊り下げ長さに応じて長尺形状のものを切断して使用するといった使い方もされるので、特に限定されるものではない。
【０１０９】
本発明第１実施形態の吊り下げ方法においては、図４に示すように、その両自由端２Ａ，２ＢをループＬ１，Ｌ２が形成されるように丸く折り返して、その途中部を、この吊り下げ具１の対向部と重ね合わせて、双方の開孔３，３が連通するように位置合わせを行ない、この位置合わせにより連通する各２個所の開孔３・・内にタッピングネジ（タッピンネジとも呼ばれる）４０・・を螺装して、双方の重ね合わせた途中部どうしを連結、固定することで使用状態になり、この吊り下げ具１の上部にループＬ１を形成する過程で一方の自由端２Ａを吊り下げ位置上方の固定物などに挿通又は掛止させる。同様に、この吊り下げ具１の下部にループＬ２を形成する過程で他方の自由端２Ｂを吊り下げる物品を掛止させたり、抱いたり、巻き付けたりするものである。
【０１１０】
図５は前記吊り下げ具１を用いて、天井埋め込み型の蛍光燈７０を吊り下げた状態を示している。
図５によると、天井Ｔの蛍光燈７０を埋め込む面には、上部ケース７１の周側壁の大きさに見合った開孔Ｔａが形成されており、この開孔Ｔａ内に蛍光燈７０の上部ケース７１を埋め込んで吊り下げられる。
【０１１１】
図５の場合には、蛍光燈７０の上部ケース７１上には吊り下げ用の環体７３が固定されており、その上方のコンクリート面Ｋ箇所に、吊り下げ具１を掛止させる環体Ｒの上半分が埋設されている。この環体Ｒは略８の字形状を有するワイヤー部Ｒａの中央部が略段付き円柱形状を有するゴム材Ｒｂ内に埋設されたもので、天井Ｔ裏の空間に吊り下げ具１の上部を支持する鋼材などが無い場合には、吊り下げ具１の上部に形成されているループＬ１とこの環体Ｒとを連結させて、吊り下げ具１の上部を支持させている。
【０１１２】
そして、吊り下げ具１の下部に形成されたループＬ２と、蛍光燈７０上端の環体７３とを連結させて、蛍光燈７０を支持させている。
【０１１３】
次に、図６の（ａ）〜（ｄ）図により、順を追って、吊り下げ方法の手順を説明する。なお、これら各図においては、説明をわかり易くするために、吊り下げ位置上方の固定物Ｎと、吊り下げる物品Ｍを簡略して示している。
【０１１４】
本発明第１実施形態の吊り下げ方法においては、先ず、図６の（ａ）図に示すように、この固定物Ｎに吊下げ具１の一方の自由端２Ａを掛けて、この自由端２Ａを下方に曲げ返す。
【０１１５】
続いて、図６の（ｂ）図に示すように、この自由端２Ａの途中部と、対向する位置にある吊り下げ具１の途中部とを重ね合わせて、双方の２個所の開孔（図６の各図においては図示していない。）を連通させて、この連通する２個所の開孔に、タッピングネジ４０，４０を螺入して、双方の途中部どうしを固定させる。
【０１１６】
次いで、図６の（ｃ）図に示すように、吊り下げる物品Ｍを持ち上げた状態で、吊り下げ具１の他方の自由端２Ｂを、この物品Ｍを下から抱くようにして曲げ返す。
【０１１７】
そして、この自由端２Ｂの途中部と、対向する位置にある吊り下げ具１の途中部とを重ね合わせて、双方の２個所の開孔を連通させて、この連通する２個所の開孔に、タッピングネジ４０，４０を螺入して、双方の途中部どうしを連結、固定させると、吊り下げは終了する。
【０１１８】
図７はタッピングネジ４０を連通する開孔３，３内に螺入して吊り下げ具１の重なり合った途中部どうしを固定した状態を示しており、この図に示すように、双方の途中部は、タッピングネジ４０の頭部４０ａと開孔３に食い込んだネジ部４０ｂとによって、確実に固定される。しかも、吊り下げ荷重が加わって双方の途中部にスライドする力が加わっても、このタッピングネジ４０のネジ部４０ｂで確実に受け止めることができる結果、吊り下げ具１が外れたりしないのである。
【０１１９】
図８は吊り下げ具１の上端を固定物Ｎの上端に掛かった状態を示しており、この図に示すように、この吊り下げ具１に下から吊り下げ荷重が加わっても、吊り下げ具１に加わる荷重の殆どは左右の銅細線からなる補強材４，４に加わり、その間の平板部分２ａには荷重が加わらないために、強い引っ張り力に耐える。しかも、この補強材４，４の間隔が離れているので、吊り下げによる横方向の振れは生じないのである。しかも、この補強材４，４は直接、固定物Ｎに触れず、この補強材４，４を覆っている高分子材料層（例えば、ポリエチレン樹脂）の両端部分を介して接面したり、接当するので、この高分子材料層が補強材４，４のクッションになる。とくに、この固定物ＮがＬ型鋼材や長板である場合には、その上端などに吊下げ具１が位置して強い荷重が加わっているときには、この高分子材料層がクッションになって、補強材４，４を保護し、この補強材４，４が鋭角に曲がったり、接当部分が傷ついて破断するといった事態になるのを防ぐことができる。
【０１２０】
前述においては、連結部材としてタッピングネジ４０，４０・・を用いた例を説明したが、本発明は連結部材として用いるものは、タッピングネジ４０，４０・・に限定されるものではない。
【０１２１】
その１例として示すのが図９の各図に示すリベット止めであり、図９の（ａ）図はリベット止めをする途中の状態を示しており、図９の（ｂ）図はリベット止めした状態を示す断面図である。
【０１２２】
ここに用いられるリベット４２は、その軸部４２ｂの両端に丸ナベ型の頭部４２ａ，４２ｃが既に形成されたものが用いられている。このように丸ナベ型の頭部４２ａ，４２ｃが形成されていると、片方の頭部４２ｃを連通する開孔３，３内に圧入して反対側に突出させ易くなり、図９の（ａ）図に示すように、双方の開孔３，３内に片方の頭部４２ｃを指先で強く押して図９の（ｂ）図に示す状態にする。
【０１２３】
なお、前以って、図９の（ａ）図に示すように、連通する一方の開孔３にリベット４２の片方の頭部４２ｃを突入させて反対側に突出させてリベット４２を支持させた状態で、更にもう一方の開孔３内にこの頭部４２ｃを突入させるようにすると、吊り下げ作業が一層簡便に行なえるのである。
【０１２４】
このようにして、リベット４２の軸部４２ｂを、連通する開孔３，３内に位置ささせて、その両端の頭部４２ａ，４２ｃの対向面で、連通する開孔３，３周りの面を接面させると、吊り下げ具１に吊下げ荷重が加わっても、抜け外れが防止されるのである。なお、図示していないが、このリベット止めも上下の各２個所で行なうことが好ましい。
【０１２５】
図１０は、連結部材として、クリップピン４３とクリップ４４を用いて、重なり合った吊り下げ具１の途中部を連結固定した状態を示しており、このクリップピン４３は、丸ナベ状の頭部４３ａと軸部４３ｂとを有し、この軸部４３ｂの先端近傍の外周面には、クリップ４４の突起部分４４ｃ，４４ｃが突入する凹部４３ｃ，４３ｃが形成されている。
【０１２６】
クリップ４４は、その中央の板面部分４４ｂにクリップピン４３の軸部４３ｂが突入する開孔４４ａが開設されており、ここの板面部４４ｂの両端が後方に近接する方向に屈曲してその先端近傍部分に前記突起部分４４ｃ，４４ｃが形成されており、この屈曲した部分から突起部部分４４ｃ，４４ｃが近接する方向に付勢力を有する。
【０１２７】
その使用方法は、クリップピン４３の軸部４３ｂを連通する開孔３，３内に挿通させて、反対側からクリップ４４がこの軸部４３ｂを受け入れ、その凹部４３ｃ，４３ｃ内にクリップ４４の突起部分４４ｃ，４４ｃを落とし込ませることにより、その抜け止めを図り、このように簡単に吊下げ具１の途中部どうしを固定させることができる。
【０１２８】
図１１の各図は、連結部材としてポッピングリベット４５を用いて吊り下げ具１の途中部どうしを固定する方法を示しており、図１１の（ａ）図は吊り下げ具１の連通する開孔３，３内にポッピングリベット４５の軸部４５ｂを突入させた状態を示している。
【０１２９】
この図に示すように、ポッピングリベット４５は、丸ナベ型の頭部４５ａと軸部４５ｂとを有し、この軸部４５ｂの軸芯方向に沿った個所に開孔４５ｃが形成された筒状の本体部４５ｄと、釘状の引き軸４５ｅとが組み付けられたもので、この引き軸４５ｅは、本体部４５ｄの開孔４５ｃに軸部４５ｂの先端側から、頭部４５ａ方向に挿入させ、しかも、この頭部４５ａから突出している。
しかも、軸部４５ｂの途中部の外周面が縦方向に数箇所割られており、引き軸４５ｅを手前方向に強く引くと、軸部４５ｂの中央部が外に広がって新たな頭部ができるように座屈し、更にこの引き軸４５ｅを強く引っ張ることによって、この引き軸４５ｅが破断して、破断した引き軸４５ｅが抜け落ちる構造を有する。
【０１３０】
このため、図１１の（ａ）図に示す状態で、頭部４５ａを前方に押しつつ引き軸４５ｅを手前方向に引くと、図１１の（ｂ）図に示すように、連通する開孔３，３内に軸部４５ｂを挿通させたまま、この軸部４５ｂの開孔３から突出している途中部分を外方向に広がって座屈させさ、この座屈した部分４５ｆと、頭部４５ａの対向面とによって、吊り下げ具１の重なり合う部分どうしを強く押え付けて連結、固定させることができる。
【０１３１】
ポッピングリベット４５を用いた連結は、当該ポッピングリベット４５自体が比較的廉価であり、専用の工具が必用な点はあるが、確実に連結、固定される。
【０１３２】
図１２は、連結部材として蝶ボルト４６と蝶ナット４７を用いて吊り下げ具１の途中部どうしを固定する方法を示しており、このようにボルトとナットと共に手で操作することができるように形成されていると、指先の操作だけで、簡単に取り付け操作ができる。この他、蝶ボルト４６と六角ナット、六角ボルトと蝶ナット４７を用いても良いのである。
【０１３３】
以上、説明した方法で以って、図４の各図に示すように、吊り下げ具１の両端側にループＬ１，Ｌ２を形成して、物品を吊り下げるように構成すると、吊り下げ位置の上方の固定物の形状や大きさ、その位置などにフレキシブルに対応できる。また、吊り下げられる物品の形状や大きさ、数、フックや環体の違いにもフレキシブルに対応できるのである。
【０１３４】
その各一例を示すのが図１３及び図１４であり、このうち図１３は金属製の筒形鋼材よりなる固定物９０から吊り下げ具１を用いて蛍光燈７０を吊り下げた状態を示しており、図１４はダクトのような大きな角筒形状の構造物８０を吊り下げ具１を用いて吊り下げた状態を示している。
【０１３５】
これら各図に示すように、前述した吊り下げ方法により、また、前述した吊り下げ具１を用いると、固定物９０や構造物８０の形状や大きさにもフレキシブルに対応できる。つまり、これら固定物９０や構造物８０の外周面に沿ってしっかりと、抱くようにして支持させることができるのである。
【０１３６】
ところで、本発明では前述した吊り下げ具１は別の吊り下げ方法にも適用される。
【０１３７】
図１５の各図により、他の１つの吊り下げ方法（以下、本発明第２実施形態の吊り下げ方法という。）を説明する。
本発明第２実施形態の吊り下げ方法は、吊り下げ具１を略０形状の環状になるようにしてその自由端近傍箇所を固定するものである。
この図の場合も、前述した図６と同様に、説明をわかり易くするために、吊り下げ位置上方の固定物Ｎと、吊り下げる物品Ｍを簡略して示す。
【０１３８】
本発明第２実施形態の吊り下げ方法においては、先ず、図１５の（ａ）図に示すように、この固定物Ｎに吊下げ具１の一方の自由端２Ａを掛けて、この自由端２Ａを下方に曲げ返す。
【０１３９】
続いて、図１５の（ｂ）図に示すように、物品Ｍを持ち上げた状態で、この自由端２Ａの途中部と、吊り下げ具１の他方の自由端２Ｂを、長さ調整をしながら、この物品Ｍを下から抱くようにして曲げ返し、双方の自由端２Ａ，２Ｂの途中部分を重ね合わせる。
【０１４０】
そして、この最後に、重ね合わせた自由端２Ａ，２Ｂの途中部の２個所において連通する開孔内に、例えばタッピングネジ４０，４０を螺入して、双方の途中部どうしを固定させると、吊り下げは終了する。
【０１４１】
次に、本発明の他の物品の吊り下げ方法（以下、本発明第３実施形態の吊り下げ方法という。）を図１６の各図に示す。
本発明第３実施形態の吊り下げ方法を、図１６の（ａ）〜（ｄ）図により、順を追って説明する。なお、これら各図においても、説明をわかり易くするために、吊り下げ位置上方の固定物Ｎと、吊り下げる物品Ｍを簡略して示す。
【０１４２】
この吊り下げ方法は、先ず、図１６の（ａ）図に示すように、吊下げ具１の一方の自由端２Ｂを、持ち上げる物品Ｍの下方から抱くように掛けて、この自由端２Ａ上方に曲げ返して大きく引き出す。
【０１４３】
続いて、図１６の（ｂ）図に示すように、この自由端２Ｂの曲げ返した近傍の途中部と、対向する位置にある吊り下げ具１の途中部とを重ね合わせて、双方の２個所の開孔を連通させて、この連通する２個所の開孔に、連結部材であるタッピングネジ４０，４０を螺入して、双方の途中部どうしを連結、固定させる。
【０１４４】
次に、図１６の（ｃ）図に示すように、物品Ｍを吊り下げる高さまで持ち上げた状態で、吊り上げ位置上方の固定物Ｎに吊り下げ具１の他方の自由端２Ａを掛けるようにして下方に曲げ返す。
【０１４５】
そして、最後に、双方の自由端２Ａ，２Ｂの途中部どうしを重ね合わせて、各々の途中部の開孔を選択してその位置合わせを行い、この位置合わせにより３連通する開孔に、連結部材であるタッピングネジ４０，４０を螺入して、当該箇所の途中部どうしを連結、固定し、吊り下げは終了する。
【０１４６】
本実施形態では、この３通りの物品の吊り下げ方法も加えて、最初に図６の各図をもとに説明した吊り下げ方法を含めた物品の吊り下げ方法のうちから、吊り下げる物品の種類、形状、大きさ、重量、数、最適と、吊り下げる場所や環境などを総合的に判断して最適の物品の吊り下げ方法を選択すれば良いのである。
【０１４７】
【発明の効果】
以上、説明した本発明に係る物品の吊り下げ具は、屈曲などの形状変化にフレキシブルに対応できる強靭な平型長尺体状を有する高分子材料基材の長手方向に沿った一定間隔毎に開孔が形成されたものによって構成されるので、吊り下げ具の両自由端の一方を吊り下げ位置の上方に位置する固定物に掛けたり、或いは固定物に支持されたフックや環体を掛けたり、挿通させるなどして下方に曲げ返し、この曲げ返した自由端の途中部と、この途中部と対向する吊り下げ具とを重ね合わせて、この重ね合わせた途中部の連通する開孔内に連結部材を挿通して双方の途中部どうしを連結、固定し、他方の自由端を、吊り下げる物品又はその掛止部や環体などに掛けたり、挿通して、上方に折り返し、この折り返した自由端の途中部と、この途中部に対向する吊り下げ具の途中部を、前述した方法と同様に、連結、固定し、至極容易に物品を吊り下げることができるのである。
【０１４８】
上記のような物品の吊り下げ方法によれば、固定物の位置と吊り下げられる物品との位置がズレていても吊り下げ具がフレキシブルに形成されているので、当該物品に傾きを生じる事なく、物品を安定した状態で吊り下げることができるのであり、従って、物品が落下するなどの事故を未然に防止できる上、吊り下げ工事が至極容易に、且つ廉価にできるなどの効果を奏するのである。
【０１４９】
又、本発明に係る物品の吊り下げ具においては、吊り下げ具がフレキシブルに形成されているので、物品の係止及びその解除が極めて簡単に行える上、挟持状態の調整が行い易いのであり、しかも構造が簡単でコストが安く、加えて、吊り下げ具が平型（帯状）に形成されている結果、物品を傷つける事なく、確実に支持できるなどの効果を奏するのである。
【０１５０】
本発明に係る物品の吊り下げ具においては、特に、当該吊り下げ具の重ね合わせる各位置と、上下に形成される大きさ、吊り下げるのに必要な長さなどを考慮して、各開孔を自由に選択し、ここに連結部材を固定することができるのであり、又、吊り下げる物品の重量、吊り下げ位置上方における固定物の有無など、周囲の環境にフレキシブルに対応させて、物品を吊り下げることができるなどの効果を奏するのである。
【０１５１】
しかも、本発明に係る物品の吊り下げ具においては、この吊り下げ具の両側端部内に金属線からなる補強材を有しているため、吊り下げ荷重に対して極めて丈夫である。しかも、この金属線が高分子材料層で被覆されているために、吊り下げ具を掛ける固定物や環体などに対して金属線に負担がかかるような場合でも、この高分子材料層がクッションになって金属線を傷めたりするようなことも無いのであり、また、この高分子材料層が金属線の腐食を防止するので耐久性が著しく向上するなどの効果を奏するのである。
【０１５２】
更に、本発明に係る物品の吊り下げ具と、この吊り下げ具を重ね合わせた途中部において連通する開孔に、先端から突入して当該開孔の反対側に先端部を突出、固定する必要な数の連結部材とがセットになっていると、販売、購入、保管及び使用時の取り扱いが便利になり、実用性が至極向上するなどの効果を奏するのである。
【０１５３】
また、本発明に係る物品の吊り下げ具と連結部材とのセットは、本発明方法を確実に、しかも簡便に且つ安全に実行できる上、物品の吊り下げ工事を至極廉価に行うことができるなどの効果を奏するのである。
【図面の簡単な説明】
【図１】図１において（ａ）図は、本発明の１実施の形態による吊り下げ具の使用前の状態を示す正面図である。図１において（ｂ）図は、図１の（ａ）図におけるＡ−Ａ断面図である。
【図２】図２は、吊り下げ具の一端部を拡大して示す斜視図である。
【図３】図３において（ａ）図は、図１の（ａ）図におけるＢ−Ｂ拡大断面図である。図３において（ｂ）図は、同じくそのＣ−Ｃ拡大断面図である。
【図４】図４において（ａ）図は、両端にループを形成して示す吊り下げ具の正面図である。図４において（ｂ）図は、同じくその側面断面図である。
【図５】図５は、本発明の１実施形態による吊り下げ具の使用例を示す断面図である。
【図６】図６において（ａ）図は、本発明の１実施形態による物品の吊り下げ方法の最初の工程を示す側面図である。図６において（ｂ）図は、同じくその次の工程を示す側面図である。図６において（ｃ）図は、同じく更にその次の工程を示す側面図である。図６において（ｄ）図は、同じくその最終工程を示す側面図である。
【図７】図７は、吊り下げ具の対向部をタッピングネジで固定した状態を示す平面断面である。
【図８】図８は、吊り下げ具の上部を固定物に掛けた状態に示す正面断面図である。
【図９】図９において（ａ）図は、吊り下げ具の対向部をリベットで固定する方法を示す平面断面図である。図９において（ｂ）図は、同じくその取り付け後の状態を示す平面断面図である。
【図１０】図１０は、吊り下げ具の対向部をクリップピンとクリップで固定した状態を示す平面断面図である。
【図１１】図１１において（ａ）図は、吊り下げ具の対向部をポッピングリベットで固定する方法を示す平面断面図である。図１１において（ｂ）図は、同じくその固定後の状態を示す平面断面図である。
【図１２】図１２は、吊り下げ具の対向部を蝶ボルトと蝶ナットで固定した状態を示す平面断面図である。
【図１３】図１３は、本発明の１実施形態による吊り下げ具の他の使用例を示す斜視図である。
【図１４】図１４は、本発明の１実施形態による吊り下げ具の他の使用例を示す斜視図である。
【図１５】図１５において（ａ）図は、本発明の他の実施形態による物品の吊り下げ方法の最初の工程を示す側面図である。図１５において（ｂ）図は、同じくその次の工程を示す側面図である。図１５において（ｃ）図は、同じくその最終工程を示す側面図である。
【図１６】図１６において（ａ）図は、本発明の更に他の実施形態による物品の吊り下げ方法の最初の工程を示す側面図である。図１６において（ｂ）図は、同じくその次の工程を示す側面図である。図１６において（ｃ）図は、同じく更にその次の工程を示す側面図である。図１６において（ｄ）図は、同じくその最終工程を示す側面図である。
【図１７】図１７において（ａ）図は、従来技術による吊り金具の使用例を示す斜視図である。図１７において（ｂ）図は、従来技術に用いられる吊り金具の例を示す斜視図である。
【図１８】図１８において（ａ）図は、従来技術による吊り金具の使用例を簡略して示す正面図である。図１８において（ｂ）図は、同じく吊り金具の下部と蛍光燈の上端部との掛止状態を示す要部断面図である。
【図１９】図１９は、従来技術による吊り金具の上部の取り付け例を示す斜視図である。
【図２０】図２０は、従来技術によるワイヤー式吊り下げ具の使用例を示す断面図である。
【符号の説明】
１    吊り下げ具
２    高分子基材基材
２Ａ  自由端
２Ｂ  自由端
２ａ  板面部
２ｂ  両端部
３    開孔
４    補強材
４０  タンピングネジ
７０    蛍光燈
７１    上部ケース
Ｌ１  ループ
Ｌ２  ループ
Ｔ      天井
【図１】
0004231654.tif 000002
【図２】
0004231654.tif 000003
【図３】
0004231654.tif 000004
【図４】
0004231654.tif 000005
【図５】
0004231654.tif 000006
【図６】
0004231654.tif 000007
【図７】
0004231654.tif 000008
【図８】
0004231654.tif 000009
【図９】
0004231654.tif 000010
【図１０】
0004231654.tif 000011
【図１１】
0004231654.tif 000012
【図１２】
0004231654.tif 000013
【図１３】
0004231654.tif 000014
【図１４】
0004231654.tif 000015
【図１５】
0004231654.tif 000016
【図１６】
0004231654.tif 000017
【図１７】
0004231654.tif 000018
【図１８】
0004231654.tif 000019
【図１９】
0004231654.tif 000020
【図２０】
0004231654.tif 000021